(57)【要約】  【課題】馳締連結構造を有する折板又はフラット等の種々の金属屋根において、その馳締連結箇所に簡易且つ迅速に装着することができ、しかも馳締め連結箇所に対して極めて強固に装着することができる外囲体用取付具とすること。【解決手段】略垂直面状の挟持部１１と，該挟持部１１の上方に形成され外方に膨出するように形成された抱持部１２と,適宜の間隔をおいて貫通孔１３ａが形成され且つ前記抱持部１２の上方に形成された略垂直面状の接合部１３とからなる支持半体部１が左右対称一対に備えられた本体Ａと、前記支持半体部１の両接合部１３同士を接合する２本の螺子軸部２と，該螺子軸部２が略平行に連結される連結部３とからなる接合具Ｂとからなること。該接合具Ｂは、前記両支持半体部１を接合すると共に、前記連結部３の一部にていずれか一方側の前記支持半体部１の下方位置を押圧支持すること。  【選択図】図１
2007297860.tif 000002
【特許請求の範囲】
【請求項１】
略垂直面状の挟持部と，該挟持部の上方に形成され外方に膨出するように形成された抱持部と,適宜の間隔をおいて貫通孔が形成され且つ前記抱持部の上方に形成された略垂直面状の接合部とからなる支持半体部が左右対称一対に備えられた本体と、前記支持半体部の両接合部同士を接合する２本の螺子軸部と，該螺子軸部が略平行に連結される連結部とからなる接合具とからなり、該接合具は、前記両支持半体部を接合すると共に、前記連結部の一部にていずれか一方側の前記支持半体部の下方位置を押圧支持してなることを特徴とする外囲体用取付具。
【請求項２】
請求項１において、前記接合具の連結部は、前記２本の螺子軸部の軸端から下方に向かって形成される垂下状軸部と、該垂下状軸部の下端同士を連結する水平軸状の押え部とからなり、該押え部は前記いずれか一方側の支持半体部の下方位置を押圧してなることを特徴とする外囲体用取付具。
【請求項３】
請求項１において、前記接合具の連結部は、前記２本の螺子軸部の軸端が固着される平板状の連結板状部と、該連結板状部より形成された板片状の押え部とからなり、該押え部は前記いずれか一方側の支持半体部の下方位置を押圧してなることを特徴とする外囲体用取付具。
【請求項４】
請求項１，２又は３において、前記抱持部の内部には固定補助突起が形成されてなることを特徴とする外囲体用取付具。
【請求項５】
請求項１，２，３又は４において、前記両接合部には取付用ボルトのボルト頭部及びボルト軸部が収納されるボルト支持部が形成されてなることを特徴とする外囲体用取付具。
【請求項６】
請求項１，２，３，４又は５において、前記支持半体部の両挟持部の下端には略板状に座板部が形成されてなることを特徴とする外囲体用取付具。
【請求項７】
請求項１，２，３，４，５又は６において、前記支持半体部の両接合部の上端には上部支持片が形成されてなることを特徴とした外囲体用取付具。
【請求項８】
請求項１，２，３，４，５，６又は７において、前記接合具の螺子軸部が挿通する補助貫通孔が穿孔された補助接合部の下方に補助押え部が形成された補助押え具が備えられ、該補助押え具は、前記接合具と共に前記両支持半体部を接合し、前記補助押え部は、前記本体の他方側の支持半体部の下方位置を押圧支持してなることを特徴とする外囲体用取付具。
【発明の詳細な説明】
【技術分野】
【０００１】
本発明は、馳締連結構造を有する折板又はフラット等の種々の金属屋根において、その馳締連結箇所に簡易且つ迅速に装着することができ、しかも馳締め連結箇所に対して極めて強固に装着することができる外囲体用取付具に関する。
【背景技術】
【０００２】
近年、屋根上面を利用して植物，作物等の栽培が行われる緑化屋根の施工が増えている。また、ソーラ屋根を施工したり、或いは屋根上にデッキが施工されることもある。さらに、屋根上にさらに屋根を施工して、２重の保温性及び断熱性を備えた屋根を施工することもある。このように、屋根上に新たに前述したような構成物を施工するために、種々の取付具が開発されている。特に代表的な取付具が特許文献１に開示されている。
【特許文献１】特開平９−３０２８５４号
【発明の開示】
【発明が解決しようとする課題】
【０００３】
ところで、上記特許文献１に開示されている種類の取付具は、前記屋根の馳締連結部を２個の挟持部材によって挟持する構造のものであり、これらの挟持部材はボルト・ナット等の固着具による締付にて簡単に装着できるという利点がある。ところが、この種の挟持具は、以下に述べる欠点を有している。
【０００４】
まず、この種の金具では、屋根等の外囲体上に、緑化屋根、ソーラシステム等の構造物を設置するために多数の取付金具が使用されることになる。また、その取付金具は、それ自体も強固なものでなくてはならないし、外囲体上を構成する建築用板同士の馳締連結部等の連結部位に対しても強固に固着されなければならない。そのために、取付金具の部材の板厚を厚くすると、重量が増し、屋根等の外囲体に重量的な負担をかけてしまうことになる。
【０００５】
そこで、取付金具の部材の板厚が厚くなるのを抑えて、薄い金属材を使用すると、今度は、外囲体を構成する建築用板同士の連結部位を挟持して、これをボルト・ナット等の固着具にて強固に締め付けたときに、その取付金具の挟持している部材が変形してしまい、取付強度が不足し、極めて不安定且つ不良な装着状態となってしまうことになる。
【０００６】
次に、外囲体（屋根材等）の馳締連結部等の連結部位に取付金物を装着する際に、ボルト・ナット等の固着具で部材を締め付けて、建築用板同士の連結部を挟持することにより、強固な取付状態にすることができる。しかし、通常ボルトでは、共廻り現象が起こる事とトルクで金具自体を締め付ける為、工具の能力に大きく影響を受け、作業効率を下げている。また、共廻り現象を解消する為に角根ボルトを採用することもあるが、この角根ボルトは流通頻度が低く、通常ボルトほどの規格サイズも無く、コストも割高である。
【０００７】
また、取付金具の耐風圧（引張方向）に対する強度に対して、金具自体の材料強さに頼る所が多く、リブ出し加工に於いても大きな強度の向上は見込めない。その結果、部材の厚さを増加させて、強度の確保を行うものであるが、そのために製品単価・生産設備のコスト増にもつながってしまう。
【０００８】
さらに、取付金具等でボルトを垂直方向に設ける構造を備えたタイプでは、ボルトの廻り止めや落ち止め対策として、溶接仕上げとしたり、前述したように角根ボルトが採用されたり、或いは落ち止めワッシャー等が使用されて、上記問題点を解決しようとしているが、やはりコスト・施工性の問題は残るものであった。そこで、本発明が解決しようとする課題（技術的課題又は目的）は、上記課題を悉く解決して、極めて簡単なる構成にて、屋根等の外囲体を構成する建築用板同士の馳締連結部等の連結部位に簡易且つ迅速に装着することができると共に、その取付強度も強固にすることを実現することにある。
【課題を解決するための手段】
【０００９】
そこで、発明者は、上記課題を解決すべく、鋭意，研究を重ねた結果、請求項１の発明を、略垂直面状の挟持部と，該挟持部の上方に形成され外方に膨出するように形成された抱持部と,適宜の間隔をおいて貫通孔が形成され且つ前記抱持部の上方に形成された略垂直面状の接合部とからなる支持半体部が左右対称一対に備えられた本体と、前記支持半体部の両接合部同士を接合する２本の螺子軸部と，該螺子軸部が略平行に連結される連結部とからなる接合具とからなり、該接合具は、前記両支持半体部を接合すると共に、前記連結部の一部にていずれか一方側の前記支持半体部の下方位置を押圧支持してなる外囲体用取付具としたことにより、上記課題を解決した。
【００１０】
請求項２の発明を、前述の構成において、前記接合具の連結部は、前記２本の螺子軸部の軸端から下方に向かって形成される垂下状軸部と、該垂下状軸部の下端同士を連結する水平軸状の押え部とからなり、該押え部は前記いずれか一方側の支持半体部の下方位置を押圧してなる外囲体用取付具としたことにより、上記課題を解決した。
【００１１】
請求項３の発明を、前述の構成において、前記接合具の連結部は、前記２本の螺子軸部の軸端が固着される平板状の連結板状部と、該連結板状部より形成された板片状の押え部とからなり、該押え部は前記いずれか一方側の支持半体部の下方位置を押圧してなる外囲体用取付具としたことにより、上記課題を解決した。
【００１２】
請求項４の発明を、前述の構成において、前記抱持部の内部には固定補助突起が形成されてなる外囲体用取付具としたことにより、上記課題を解決した。請求項５の発明を、前述の構成において、前記両接合部にはボルト頭部及びボルト軸部が収納されるボルト収納部が形成されてなる外囲体用取付具としたことにより、上記課題を解決した。
【００１３】
請求項６の発明を、前述の構成において、前記支持半体部の両挟持部の下端には略板状に座板部が形成されてなる外囲体用取付具としたことにより、上記課題を解決した。請求項７の発明を、前述の構成において、前記支持半体部の両接合部の上端には上部支持片が形成されてなる外囲体用取付具としたことにより、上記課題を解決した。次に、請求項８の発明を、前述の構成において、前記接合具の螺子軸部が挿通する補助貫通孔が穿孔された接続部の下方に補助押え部が形成された補助押え具が備えられ、該補助押え具は、前記接合具と共に前記両支持半体部を接合し、前記補助押え部は、前記本体の他方側の支持半体部の下方位置を押圧支持してなる外囲体用取付具としたことにより、上記課題を解決した。
【発明の効果】
【００１４】
請求項１の発明は、接合具は、２本の螺子軸部と，該螺子軸部が略平行に連結される連結部とからなるものであり、前記接合具によって、両支持半体部を接合すると共に、前記連結部の一部にていずれか一方側の前記支持半体部の下方位置を押圧支持するようにしたことで、外囲体を構成する建築用板同士の馳締連結部を強固に挟持しても、前記接合具の連結部の一部がいずれか一方側の支持半体部の下方箇所を押圧支持することができる。
【００１５】
これによって、接合具の螺子軸部をナットを介して締め付けても支持半体部に変形が生じることを防止したり、或いはその変形量を最小限に抑えることができ、本発明の外囲体用取付具を外囲体の馳締連結部へ強固に装着することができ、しかもその装着状態を極めて安定したものにできる。また、２本の螺子軸部は、連結部を介して一体形成されることにより、前記螺子軸部のナット締めで共廻りを防止でき、簡易且つ迅速なるナット締めができるものである。
【００１６】
請求項２の発明は、請求項１において、前記接合具の連結部は、前記２本の螺子軸部の軸端から下方に向かって形成される垂下状軸部と、該垂下状軸部の下端同士を連結する水平軸状の押え部とから構成されたもので、該押え部によって前記いずれか一方側の支持半体部の下方位置を押圧するようにしたものである。そのために、連結部は、前記２本の螺子軸部と共に軸材が適宜屈曲形成されることにより、極めて容易に製造されるものであり、製造コストを低くすることができる。
【００１７】
請求項３の発明は、前記接合具の連結部は、前記２本の螺子軸部の軸端が固着される平板状の連結板状部と、該連結板状部より形成された板片状の押え部とからなり、該押え部は前記いずれか一方側の支持半体部の下方位置を押圧するようにしたものであり、特に、押え部は板状のものにすることができ、前記押え部の支持半体部への押圧状態を安定させて良好なものとすることができる。
【００１８】
請求項４の発明は、前記抱持部の内部には固定補助突起が形成されることにより、前記支持半体部にて外囲体を構成する建築用板同士の馳締連結部Ｊを挟持するときに、前記両支持半体部の抱持部によって囲まれる空隙に馳締連結部の馳締箇所が抱持されると共に、前記固定補助突起が馳締箇所に当接して、前記両抱持部内にて馳締箇所を固定させることができ、よって、安定した状態で馳締連結部に設置することができるものである。
【００１９】
請求項５の発明は、前記両接合部にはボルト頭部及びボルト軸部が収納されるボルト収納部が形成されることにより、ボルトを簡単に植設することができる。請求項６の発明は、支持半体部の両挟持部の下端には略板状に座板部が形成されることにより、本発明の外囲体用取付具を外囲体の馳締連結部に安定した状態で設置することができる。請求項７の発明は、支持半体部の両接合部の上端には上部支持片が形成されることにより、緑化屋根又はソーラ屋根等の構造物を施工するときに、これらを構成する部品の設置を極めて容易にすることができる。請求項８の発明によって、前記接合具と共に補助押え具にて前記本体の両方の支持半体部の下方箇所を押圧支持することができ、前記本体をより一層強固に補強することができ、装着状態を極めて耐久性のあるものにできる。
【発明を実施するための最良の形態】
【００２０】
以下、本発明を図面に基づいて説明する。本発明は、図１，図２及び図３等に示すように、主に本体Ａ、接合具Ｂとから構成される。前記本体Ａは、２つの支持半体部１，１とから構成される。２つの支持半体部１，１は、図１（Ａ），図３に示すように、その断面形状が左右対称形状であり、２個で一対をなすものである。２個の支持半体部１，１は、同一形状であり、それぞれは、主に挟持部１１と、抱持部１２と、接合部１３とから構成される〔図１（Ｂ），図２（Ｃ），（Ｄ），図３参照〕。さらに、これらに加えて、座板部１６及び上部支持片１７等が構成要素となっている。
【００２１】
本発明には、前記接合具Ｂの構造によって、複数の実施形態が存在し、まずその第１実施形態としては、前記挟持部１１は、図１（Ｂ），図３等に示すように、略垂直面状として形成されたものであり、後述する外囲体Ｃを構成する建築用板５ ，５ ，…同士の馳締連結部Ｊの首部５５ａを２個の支持半体部１，１にて挟持するときに使用される部位である。前記挟持部１１は、前述したように垂直面で且つ平坦状に形成されており、前記馳締連結部Ｊの首部５５ａを挟持するために都合の良い形状である。
【００２２】
次に、前記抱持部１２は、図1（Ｂ），図３に示すように、前記挟持部１１の上方に位置して連続的に形成されており、前記支持半体部１の外方に膨出するように形成されている。該支持半体部１の外方側とは、２つの支持半体部１，１を接合するときに、互いに相反する面であり、常時外側を向く面である。前記抱持部１２の断面形状は、図３に示すように、略コ字形状であり、下片１２ａ,立上り片１２ｂ及び上片１２ｃとから構成され、前記下片１２ａ,立上り片１２ｂ及び上片１２ｃによって、断面略コ字形状が形成されるものである。
【００２３】
前記抱持部１２の立上り片１２ｂは、図３に示すように、僅かに傾斜状に形成されたものであり、該立上り片１２ｂの下端から上端に向かって前記支持半体部１の外方側に傾斜している。次に、接合部１３は、前記抱持部１２の上方に位置して形成されたものである。前記接合部１３は、図３に示すように、垂直面状（略垂直面状）で且つ平坦面として形成されたものである。該接合部１３には、水平方向に沿って、適宜の間隔をおいて２個の貫通孔１３ａ,１３ａが形成されている〔図１（Ｂ）,図４参照〕。該貫通孔１３ａ,１３ａには、後述する接合具Ｂの２本の螺子軸部２，２が貫通する部位である。
【００２４】
また、前記挟持部１１の下端には、座板部１６が形成され、前記接合部１３の上端には、上部支持片１７が形成されている（図３参照）。まず前記座板部１６は、板状に形成され、前記挟持部１１に対して略直角又は、前記支持半体部１の外側に向かって下方に僅かに傾斜して形成されている。前記座板部１６は、前記馳締連結部Ｊの両側箇所に設置されるものであり、両支持半体部１，１が馳締連結部Ｊを挟持状態で設置されたときに安定させる役目をなすものである。
【００２５】
さらに、前記上部支持片１７は、前記接合部１３に対して略直角に形成されたものであり、水平且つ平坦状に形成される（図３参照）。前記上部支持片１７には、本発明の外囲体用取付具が外囲体Ｃの馳締連結部Ｊに装着され、その外囲体上に新たに構造物が設置されるときに、その構造物を支持する役目をなす部位である。上記挟持部１１,抱持部１２,接合部１３,座板部１６及び上部支持片１７は、１枚の金属板がプレス加工等により適宜折曲形成されるものである。
【００２６】
前記両接合部１３,１３には、図１（Ｂ）,図４に示すように、ボルト支持部１５がそれぞれ形成されている。該ボルト支持部１５には、取付用ボルト４が装着される役目をなす部位である。前記ボルト支持部１５はボルト頭部収納部１５ａとボルト軸部収納部１５ｂが形成されている。そのボルト頭部収納部１５ａとボルト軸部収納部１５ｂとは連続形成され、略凸形状の切除部として形成されている（図４参照）。
【００２７】
前記ボルト頭部収納部１５ａは、ボルト頭部４１の最小幅に合わせて形成された略長方形状の切除部であり、前記ボルト軸部収納部１５ｂは、前記ボルト軸部４２の直径に合わせて形成されたものである。そして、前記両支持半体部１，１を接合するときに、前記取付用ボルト４のボルト頭部４１をボルト頭部収納部１５ａに収納し、ボルト軸部４２をボルト軸部収納部１５ｂに収納しつつ、両支持半体部１，１を接合具Ｂにて接合固着するものである〔図２（Ｄ）参照〕。
【００２８】
前述したように、前記ボルト頭部収納部１５ａは、前記ボルト頭部４１の最小幅に合わせた切除部であるため、ボルト頭部収納部１５ａは、ボルト頭部４１を回転しないように係止状態で固定することができる。これによって、取付用ボルト４を使用して、緑化屋根、ソーラ屋根の部品を取付けるときには、取付用ボルト４は、空転することなく、ナット締めすることができるものである。
【００２９】
次に、接合具Ｂは、図１（Ｂ）,図３及び図５等に示すように、２本の螺子軸部２，２と，該螺子軸部２,２が略平行に連結される連結部３とから構成されている。前記螺子軸部２，２は、直線状軸材から形成されたものである。両螺子軸部２，２は、前記接合部１３に形成された２つの貫通孔１３ａ,１３ａに挿通するものである。
【００３０】
前記螺子軸部２には、外螺子２ａが形成されており、該外螺子２ａに対応するナット部材２１と螺合するようになっている。前記接合具Ｂは、複数の実施形態が存在し、その第１実施形態では、図１,図５等に示すように、軸部材が適宜屈曲形成されるものである。前記連結部３は、前記２本の螺子軸部２,２の軸端から下方に向かって略垂下状に形成される垂下状軸部３１,３１と、該垂下状軸部３１,３１の下端同士が連結される水平軸状の押え部３３とから構成される。
【００３１】
前記垂下状軸部３１は、前記螺子軸部２，２側に向かって僅かに傾斜している（図３参照）。そして、前記押え部３３は、前記螺子軸部２，２と前記垂下状軸部３１,３１との連結部分よりも前記螺子軸部２，２の先端側に位置するように形成されている〔図５（Ｂ）参照〕。前記螺子軸部２，２及び連結部３は1本の金属軸材から形成されている。
【００３２】
次に、本発明の第２実施形態としては、前記接合具Ｂの連結部３は、図６に示すように、２本の螺子軸部２,２の軸端が固着される平板状の連結板状部３２と、該連結板状部３２より形成された板片状の押え部３３とから構成される。前記連結板状部３２と前記板片状の押え部３３は、１枚の板から一体形成されたものである。
【００３３】
前記２本の螺子軸部２，２は、前記連結板状部３２に対して溶接又は圧入等の固着手段によって固着される。前記押え部３３は、前述したように、板片状に形成されているが、前記螺子軸部２，２側に僅かに傾斜する構造とすることもある。或いは前記押え部３３の下端を前記螺子軸部２，２の軸方向に略平行となるようにして、押圧先端部３３ａが折り曲げ形成されることもある。該押圧先端部３３ａは、前記支持半体部１の挟持部１１又は抱持部１２箇所を押圧可能な形状に形成されたものである〔図６（Ｂ）参照〕。
【００３４】
次に、本発明の第３実施形態としては、前記接合具Ｂの連結部３は、図７に示すように、前記２本の螺子軸部２，２を水平状に連結する連結軸３４と、板片状の押え部３３とから構成されたものである。前記連結軸３４は、前記２本の螺子軸部２，２と連続する１本の金属軸材から形成されたものである。前記押え部３３は、前記螺子軸部２，２及び連結軸３４とは、異なる金属板材から形成され、溶接等の固着手段にて固着されている。
【００３５】
次に、外囲体Ｃは、図９に示すように、屋根又は壁等であり、断面がほぼ台形山形状の山形部５１と、平坦状の底部５２とが交互に連続したものである。前記外囲体Ｃは、複数の建築用板５，５ ，…が並設され、その隣接する建築用板５ ，５同士の端部が連結されて、馳締連結部Ｊを構成して建築用板５が施工される。その馳締連結部Ｊが、前記山形部５１となる場合が多い。
【００３６】
その金属屋根Ｃの第１タイプは、隣接する建築用板５ ，５同士を馳締めにより連結するものである。このタイプでは、建築用板５の半山形部５１ａの上端に形成された頂部５１ｂの外端から下馳部５３が形成され、他方側の半山形部５１ａの頂部５１ｂには上馳部５４が形成されている〔図８,図９（Ｂ）参照〕。
【００３７】
前記下馳部５３及び上馳部５４は、ともに円弧状の下馳部５３及び上馳部５４ を有し、且つ前記半山形部５１ａの頂部５１ｂから立上り片５３ａ 及び立上り片５４ａが形成され、該立上り片５３ａ及び立上り片５４ａが近接対向して馳締連結部Ｊの首部５５ａが形成される。そして、隣接する建築用板５ ，５ 同士が馳締用吊子５６を介して下馳部５３と上馳部５４とが重合状態で馳締めされて馳締部５５ｂが形成される。この馳締部５５ｂは、角形も存在する。
【００３８】
次に、本発明における外囲体用取付具を外囲体Ｃの馳締連結部Ｊに装着する工程について説明する。まず、２つの支持半体部１，１を左右対称に配置して、前記外囲体Ｃの馳締連結部Ｊの首部５５ａを両挟持部１１,１１にて挟持し、両抱持部１２,１２にて前記馳締連結部Ｊの馳締部５５ｂを抱持するようにして、両接合部１３,１３同士を当接させる〔図８（Ａ）参照〕。
【００３９】
さらに、両接合部１３,１３の貫通孔１３ａ,１３ａに接合具Ｂの２本の螺子軸部２，２を挿通させる。このとき、２本の螺子軸部２，２には、それぞれナット部材が１個ずつ装着されている。前記両抱持部１２,１２によって馳締連結部Ｊの馳締部５５ｂが抱持されると共に、前記両抱持部１２,１２にそれぞれ形成された固定補助突起１４,１４によって、前記馳締部５５ｂが両抱持部１２,１２で構成される空隙部内にてガタが生じないように固定される。
【００４０】
また、両支持半体部１，１を接合するときに、前記両接合部１３,１３に形成されたボルト支持部１５に取付用ボルト４が装着される。この取付用ボルト４は、ボルト軸部４２が上部支持片１７の表面より、略垂直状に突出する。前記支持半体部１，１の両挟持部１１,１１の下端に形成された座板部１６,１６は、前記山形部５１で且つ馳締連結部Ｊの両側頂部５１ｂ,５１ｂに載置される。
【００４１】
前記接合具Ｂは、前記２本の螺子軸部２，２が前記両接合部１３,１３にそれぞれ形成された貫通孔１３ａ,１３ａに挿通され、両接合部１３,１３を挟持するようにして、各螺子軸部２にて２つのナット部材２１，２１により締め付けて固着する。さらに、このときに、前記接合具Ｂの押え部３３により、いずれか一方側の支持半体部１の下方位置を押圧するように、前記螺子軸部２に対して前記ナット部材２１を位置調整する。
【００４２】
前記押え部３３は、前記抱持部１２又は挟持部１１の位置を大きな押圧力Ｆ〔図８（Ｂ）参照〕を有するようにして押圧する。この場合、前記接合具Ｂの螺子軸部２，２が両接合部１３,１３の貫通孔１３ａ,１３ａに挿通した状態で、前記押え部３３が備わっていない側の前記螺子軸部２に前記ナット部材２１を締め付けつつ、両支持半体部１，１同士が強固に接合される。前記押え部３３にて、いずれか一方側の支持半体部１の下方位置を押圧力Ｆにて押圧しつつ、締め付けることにより、前記挟持部１１及び抱持部１２が変形することを防止したり、又はその変形を最小限に抑えることができるものである〔図８（Ｂ）参照〕。
【００４３】
図９は、本発明の外囲体用取付具によって、緑化屋根を施工したものである。屋根とした外囲体Ｃの馳締連結部Ｊに、本発明の外囲体用取付具が装着され、その取付用ボルト４と固定具９によって植栽用筺体６が装着されたものである。前記植栽用筺体６は、前記上部支持片１７上に載置され、前記固定具９によって前記上部支持片１７上に固定される。前記植栽用筺体６内には観賞用植栽物が備えられ、緑化屋根を構成することができる。
【００４４】
図１０は、本発明の外囲体用取付具によって、２層屋根を施工したものである。屋根とした外囲体Ｃの馳締連結部Ｊには、本発明の外囲体用取付具が装着され、該外囲体用取付具を介して上部屋根７が施工される。上部屋根７は、キャップ材７２及び吊子７３を介して連結屈曲部７１の被嵌合部７１ａ同士が嵌合固定される嵌合タイプである。また、本発明の外囲体用取付具は、前述の２層屋根とした実施形態において、前記外囲体Ｃは既設屋根とし、前記上部屋根７は新設屋根とした改修屋根構造にも適用されるものである。
【００４５】
次に、図１１は、前記接合部Ｂと共に補助押え具８が具備される実施形態を示している。該補助押え具８は、前記接合具Ｂと共に前記本発明の両支持半体部１，１を挟持するようにして、使用される部材である。補助押え具８は、図１１（Ａ）に示すように、補助接合部８１の下方に補助押え部８２が形成されている。そして、前記補助接合部８１は、略長方形の板状とした接合主板８１ａに、補助貫通孔８１ｂ，８１ｂが穿孔されている。両補助貫通孔８１ｂ，８１ｂの間隔は、前記接合具Ｂの２本の螺子軸部２，２の間隔と同一間隔である。
【００４６】
前記接合主板８１ａは、その下端から垂下状片８１ｃが形成され、該垂下状片８１ｃの下端から外方に向かって略水平状に折曲片８１ｄが形成され、該折曲片８１ｄの外端から下方に前記補助押え部８２が形成されている。該補助押え部８２は、略垂下状板片として形成され、その下端には補助押圧先端部８２ａが折り曲げ形成されることもある。
【００４７】
補助押え具８は、図１１（Ｂ）に示すように、前記本体Ａの両支持半体部１，１を前記接合具Ｂと共に挟持するようにして配置され、前記接合具Ｂの２本の螺子軸部２，２が前記両支持半体部１，１のいずれか一方側より前記貫通孔１３ａ，１３ａに挿通し、他方側の支持半体部１側に前記補助押え具８が配置されて２個の補助貫通孔８１ｂ，８１ｂに前記接合具Ｂの２本の螺子軸部２，２が挿通される。それぞれの螺子軸部２には、２つのナット部材２１，２１が装着され、前記両支持半体部１，１の両接合部１３，１３同士を２つのナット部材２１，２１によって締付け、挟持固着する〔図１１（Ｃ）参照〕。
【００４８】
このとき、前記接合具Ｂは、押え部３３によって両支持半体部１，１の一方側の下方位置を押圧し、前記補助押え具８は、その補助接合部８１によって、他方側の支持半体部１の下方位置を押圧することができる。特に、前記押え部３３と前記補助押え部８２に押圧先端部３３ａ及び補助押圧先端部８２ａが形成されたものでは、前記両支持半体部１，１の両挟持部１１，１１を強固に押圧することができる。前記補助押え具８は、本発明における外囲体用取付具の第１乃至第３実施形態の全てに適用されるものである。
【図面の簡単な説明】
【００４９】
【図１】（Ａ）は本発明の第１実施形態の斜視図、（Ｂ）は本発明の分解斜視図である。
【図２】（Ａ）は本発明の第１実施形態の側面図、（Ｂ）は（Ａ）のＸａ-Ｘａ矢視断面図、（Ｃ）は本発明の正面図、（Ｄ）は（Ａ）のＸｂ-Ｘｂ矢視断面図である。
【図３】本発明の第１実施形態の分解正面図である。
【図４】（Ａ）は点状の固定補助突起が形成された支持半体部の側面図、（Ｂ）は筋状の固定補助突起が形成された支持半体部の側面図である。
【図５】（Ａ）は本発明の第１実施形態における接合具の側面図、（Ｂ）は接合具の平面図である。
【図６】（Ａ）は本発明の第２実施形態における接合具の斜視図、（Ｂ）は第２実施形態を馳締連結部に装着した状態の正面図である。
【図７】（Ａ）は本発明の第３実施形態における接合具の斜視図、（Ｂ）は第３実施形態を馳締連結部に装着した状態の正面図である。
【図８】（Ａ）は本発明の外囲体用取付具における両支持半体部にて馳締連結部を挟持しつつ接合具を支持半体部に装着しようとしている状態の縦断正面図、（Ｂ）は両支持半体部が接合具により締め付けられ且つ押え部にていずれか一方側の支持半体部の下方を押圧している状態の縦断正面図である。
【図９】（Ａ）は本発明によって外囲体を緑化屋根とした正面略示図、（Ｂ）は（Ａ）の要部拡大断面図である。
【図１０】（Ａ）は本発明によって外囲体を２層屋根とした正面略示図、（Ｂ）は（Ａ）の要部拡大断面図である。
【図１１】（Ａ）は本発明の外囲体用取付具に補助押え具を備えた実施形態の斜視図、（Ｂ）は（Ａ）の分解断面図、（Ｃ）は補助押え具を備えた本発明の外囲体用取付具を馳締連結部に装着した状態の正面図である。
【符号の説明】
【００５０】
Ａ…本体、１…支持半体部、１１…挟持部、１２…抱持部、１３ａ…貫通孔、
１３…接合部、１４…固定補助突起、１５…ボルト支持部、１６…座板部、
１７…上部支持片、Ｂ…接合具、２…螺子軸部、３…連結部、３１…垂下状軸部、
３２…連結板状部、３３…押え部、４…取付用ボルト、４１…ボルト頭部、
４２…ボルト軸部。
【図１】
2007297860.tif 000003
【図２】
2007297860.tif 000004
【図３】
2007297860.tif 000005
【図４】
2007297860.tif 000006
【図５】
2007297860.tif 000007
【図６】
2007297860.tif 000008
【図７】
2007297860.tif 000009
【図８】
2007297860.tif 000010
【図９】
2007297860.tif 000011
【図１０】
2007297860.tif 000012
【図１１】
2007297860.tif 000013